(57)【要約】【課題】アームを降ろし忘れて外扉を閉めた場合であっても、新聞を繰り出すことができる新聞自動販売機の新聞収納ラックを提供すること。【解決手段】本体キャビネットに搭載され、新聞が収納されるラック６０と、本体キャビネットに搭載され、本体キャビネットの奥方から前方へ移動する駆動ユニット５１と、駆動ユニット５１に回動可能に取り付けられ、駆動ユニット５１の前方への移動に伴い、ラック６０の奥方から前方に移動させられるアーム５２と、アーム５２に回動可動に取り付けられるとともに、針が装着されたハンド５３とを備え、アーム５２を持ち上げた状態にすることにより、ハンド５３が持ち上げられ、新聞の収納が可能となる新聞自動販売機の新聞収納ラックにおいて、アーム５２を持ち上げた状態で係止され、駆動ユニット５１の移動により、離脱する操作レバー７を備えるようにした。【選択図】        図４
2010061396.tif 000002
【特許請求の範囲】
【請求項１】
本体キャビネットに搭載され、新聞が収納されるラックと、本体キャビネットに搭載され、本体キャビネットの奥方から前方へ移動する駆動ユニットと、駆動ユニットに回動可能に取り付けられ、駆動ユニットの前方への移動に伴い、ラックの奥方から前方に移動させられるアームと、該アームに回動可動に取り付けられとともに、針が装着されたハンドとを備え、アームを持ち上げた状態にすることにより、ハンドが持ち上げられ、新聞の収納が可能となる新聞自動販売機の新聞収納ラックにおいて、
アームを持ち上げた状態で係止され、駆動ユニットの移動により、離脱する操作レバーを備えたことを特徴とする新聞自動販売機の新聞収納ラック。
【請求項２】
前記操作レバーは、係止された場合に駆動ユニットの移動域に突出する作用部を備え、移動した駆動ユニットが作用部に作用することにより、操作レバーが離脱することを特徴とする請求項１に記載の新聞自動販売機の新聞収納ラック。
【請求項３】
前記作用部は、操作レバーに回転可能に取り付けられたローラであることを特徴とする請求項２に記載の新聞自動販売機の新聞収納ラック。
【請求項４】
前記操作レバーは、アームを持ち上げた状態でアームに係止され、降ろされたアームを回避する作用端部を有することを特徴とする請求項１に記載の新聞自動販売機の新聞収納ラック。
【請求項５】
前記操作レバーは、押し込み操作によってアームを持ち上げた状態にする傾斜穴を有し、駆動ユニットの移動によって押し出されることを特徴とする請求項１に記載の新聞自動販売機の新聞収納ラック。
【発明の詳細な説明】
【技術分野】
【０００１】
本発明は、新聞を販売する新聞自動販売機の新聞収納ラックに関するものである。
【背景技術】
【０００２】
新聞を販売する新聞自動販売機は、前面が開口した箱状の本体キャビネットと、本体キャビネットの前面開口を閉塞する外扉とを備えている。本体キャビネットには、上下方向に複数段の棚が設けてあり、各棚には、新聞収納ラックが搭載してある。新聞収納ラックは、引き出し可能に構成された箱状のラック（ストック部）と、格納されたラックから新聞を繰り出す搬出装置とを備えている。ラックは、前面及び上面が開口してあり、販売する新聞を積層した状態で収納できるようになっている。搬出装置は、本体キャビネットの奥方から前方に移動する駆動ユニットと、駆動ユニットに回動可能に取り付けられ、奥方から前方に移動させられるアームと、アームに回動可能に取り付けられに取り付けられるとともに、新聞を引っ掛ける針が装着されたハンドとを備えている。そして、ハンドを降ろした状態で自動販売機本体から販売指令を受信すると、駆動ユニットがアームを前方から奥方に移動させた後、奥方から前方に移動させることにより、ハンドが一冊ずつ新聞を繰り出すようになっている。そして、繰り出された新聞は、外扉に設けられた取出口に搬出されるようになっている（例えば、非特許文献１参照）。
【０００３】
ところで、新聞を入れ替えたり、補充したりする場合には、本体キャビネットの内壁面に設けたフック等にアームを引っ掛け、新聞を入れ替えたり、補充したりすることになる。
【０００４】
【非特許文献１】近畿車輛株式会社  「近畿車輌-新聞自動販売機-KNC-10」［平成２０年６月１日検索］、インターネット＜URL：http://www.kinkisharyo.co.jp/ja/sanki/sa-seihin/sa-knc-10.htm＞
【発明の開示】
【発明が解決しようとする課題】
【０００５】
しかしながら、新聞を収納した後、アームを降ろし忘れて外扉を閉めると、ハンドが新聞を繰り出すことができない。
【０００６】
本発明は、上記実情に鑑みて、アームを降ろし忘れて外扉を閉めた場合であっても、新聞を繰り出すことができる新聞自動販売機の新聞収納ラックを提供することを目的とする。
【課題を解決するための手段】
【０００７】
上記の目的を達成するために、本発明の請求項１に係る新聞自動販売機の新聞収納ラックは、本体キャビネットに搭載され、新聞が収納されるラックと、本体キャビネットに搭載され、本体キャビネットの奥方から前方へ移動する駆動ユニットと、駆動ユニットに回動可能に取り付けられ、駆動ユニットの前方への移動に伴い、ラックの奥方から前方に移動させられるアームと、該アームに回動可動に取り付けられるともに、針が装着されたハンドとを備え、アームを持ち上げた状態にすることにより、ハンドが持ち上げられ、新聞の収納が可能となる新聞自動販売機の新聞収納ラックにおいて、アームを持ち上げた状態で係止され、駆動ユニットの移動により、離脱する操作レバーを備えたことを特徴とする。
【０００８】
また、本発明の請求項２に係る新聞自動販売機の新聞収納ラックは、上記請求項１において、前記操作レバーは、係止された場合に駆動ユニットの移動域に突出する作用部を備え、移動した駆動ユニットが作用部に作用することにより、操作レバーが離脱することを特徴とする。
【０００９】
また、本発明の請求項３に係る新聞自動販売機の新聞収納ラックは、上記請求項２において、前記作用部は、操作レバーに回転可能に取り付けられたローラであることを特徴とする。
【００１０】
また、本発明の請求項４に係る新聞自動販売機の新聞収納ラックは、上記請求項１において、前記操作レバーは、アームを持ち上げた状態でアームに係止され、降ろされたアームを回避する作用端部を有することを特徴とする。
【００１１】
また、本発明の請求項５に係る新聞自動販売機の新聞収納ラックは、上記請求項１において、前記操作レバーは、押し込み操作によってアームを持ち上げた状態にする傾斜穴を有し、駆動ユニットの移動によって押し出されることを特徴とする。
【発明の効果】
【００１２】
本発明に係る新聞自動販売機の新聞収納ラックは、アームを降ろし忘れて外扉を閉めた場合であっても、駆動ユニットの移動により操作レバーが離脱するので、アームが降ろされ、新聞を繰り出すことができるようになる。
【発明を実施するための最良の形態】
【００１３】
以下に添付図面を参照して、本発明に係る新聞自動販売機の新聞収納ラックの好適な実施の形態を詳細に説明する。なお、この実施の形態によりこの発明が限定されるものではない。
【００１４】
図１は、本発明の実施の形態である新聞自動販売機の新聞収納ラックを適用した新聞自動販売機を示す正面図である。新聞自動販売機は、新聞を販売する自動販売機であって、一台で複数種類（図１に示した新聞自動販売機は最大７種類）の新聞を販売できるようになっている。
【００１５】
図１に示すように、新聞自動販売機は、前面が開口した箱状の本体キャビネット１と、本体キャビネット１の前面開口を閉塞する外扉２とを備えている。
【００１６】
本体キャビネット１と外扉２とは、鋼板を適宜組み合わせたもので、本体キャビネット１の左側縁には、外扉２が支承してある。また、外扉２の右側中程には、ハンドルロック２１が配設してあり、外扉２を閉塞した状態で施錠可能となっている。
【００１７】
図１に示すように、外扉２の右側には、硬貨投入口２２、紙幣挿入口２３、電子マネー受付部２４、一体表示器２５、返却レバー２６、返却口２７が配設してある。硬貨投入口２２は、硬貨を受け付けるための開口であって、硬貨投入口２２から投入された硬貨は、外扉２の背面内側に配設したコインメカニズム（硬貨処理装置）（図示せず）に収容されるようになっている。紙幣挿入口２３は、紙幣を受け付けるための開口であって、紙幣挿入口２３から挿入された紙幣は、外扉２の背面内側に配設したビルバリデータ（紙幣処理装置）（図示せず）に収容されるようになっている。電子マネー受付部２４は、電子マネーがチャージされたカード等の記録媒体を受け付ける部分であって、記録媒体がかざされると、記録媒体との間で電子マネーデータを送受信することにより、対価を収受するようになっている。一体表示器２５は、販売中、釣り銭切れ、投入金額、お札禁止等の各種情報を表示するためのものである。返却レバー２６は、取引の中断を指示するためのものであって、返却レバー２６が操作されると、取引が中断され、釣り銭等を返却口２７に放出するようになっている。
【００１８】
また、外扉２には、表示選択装置３と新聞取出口４とが上下方向に複数設けてある（図１に示した新聞自動販売機は７つの表示選択装置３と７つの新聞取出口４とが設けてある）。表示選択装置３と新聞取出口４とは、１対１の関係を有している。
【００１９】
表示選択装置３は、新聞の紙名（朝刊、夕刊の別を含む）が記載されたプレート３１と、プレート３１に記載された新聞を選択する選択ボタン３２とを有している。プレート３１は、外扉２の背面に装着してあり、外扉２を開放した状態で入れ替え可能となっている。選択ボタン３２は、例えば、点灯可能な押しボタンスイッチで構成してあり、選択可能な場合に点灯し、選択された場合には一定時間点滅するように制御されるようになっている。なお、最上段の表示選択装置３には、上方に隣接する展示部３３が設けてある。展示部３３には、透明なパネル３３ａが嵌め込んであり、注目記事が掲載された新聞を展示できるようになっている。
【００２０】
新聞取出口４は、新聞を取り出すための開口であって、その開口幅は、新聞が通るように、新聞の長手方向の長さと略同一となるように形成してある。また、新聞取出口４の奥方上方部には、フラッパ（図示せず）が支承してある。フラッパは、奥方から手前側に向けて漸次低くなるように傾斜した状態で新聞取出口４を閉塞するもので、販売待機状態でフラッパが新聞取出口４を閉塞するようになっている。
【００２１】
一方、本体キャビネット１には、本発明の実施の形態である新聞自動販売機の新聞収納ラックが上下方向に沿って複数搭載してある（図１に示した新聞自動販売機は、７つの新聞収納ラックが搭載してある。）。
【００２２】
（実施の形態１）
図２〜図５は、本発明の実施の形態１である新聞自動販売機の新聞収納ラックを示す図であって、図２及び図３はハンドを降ろした状態を示し、図４及び図５はアームを持ち上げた状態を示している。
【００２３】
新聞収納ラック５は、販売する新聞を積層した状態で収納するとともに、自動販売機本体からの販売指令にしたがって新聞を一冊ずつ繰り出すものであって、図２〜図５に示すように、搬出装置５０とラック６０とを有している。
【００２４】
搬出装置５０は、ラック６０から新聞を繰り出すためのもので、駆動ユニット５１、アーム５２、ハンド５３を備えている。
【００２５】
搬出装置５０は、本体キャビネット１に搭載され、搬出装置５０は、自動販売機本体からの販売指令にしたがって、駆動ユニット５１を本体キャビネット１の前方から奥方に移動させた後、奥方から前方に移動させるようになっている。
【００２６】
駆動ユニット５１には、アーム５２の一端が回動可能に取り付けてあり、アーム５２は、駆動ユニット５１の移動に伴い、ラック６０の前方（待機位置）から奥方に移動した後、奥方から前方（待機位置）に移動するようになっている。
【００２７】
アーム５２は、板状体（例えば、鋼板）の両縁を下方に折り曲げたものであって、軽量化等のため、複数の穴があけてある。アーム５２の他端には、ハンド５３が回動可能に取り付けてある。
【００２８】
図６に示すように、ハンド５３は、板状体（例えば、鋼板）を略Ｌ字状に折り曲げたもので、軽量化等のため複数の穴があけてある。ハンド５３の左側と右側とには、それぞれ針ユニット５４が取り付けてあり、その中央がアーム５２に取り付けられている。このため、右側の針ユニット５４と左側の針ユニット５４とに均等に力が作用するようになっている。
【００２９】
図６に示すように、針ユニット５４は、針５４１をハンド５３に装着するためのものであり、針５４１が装着してあり、この針ユニット５４をハンド５３に取り付けることにより、ハンド５３に針５４１が装着されるようになっている。針５４１は、新聞を引っ掛けるためのもので、針５４１が新聞を引っ掛けた状態で駆動ユニット５１を奥方から前方（待機位置）に移動させると、アーム５２が奥方から前方に移動し、ハンド５３が新聞を繰り出すようになっている。
【００３０】
図６に示すように、ハンド５３は、カバー（カバー部材）５５を備えている。カバー５５は、アーム５２を持ち上げることにより、針５４１が新聞の紙面から離反した場合に針５４１を覆うものであり（図７参照）、ハンド５３を降ろすことにより、カバー５５が新聞の紙面に接した場合に針５４１を出すようになっている（図８参照）。
【００３１】
ラック６０は、本体キャビネット１に引き出し可能に搭載してある。ラック６０は、長手方向がラック６０の幅方向となるようにして新聞を収納するもので、鋼板を折り曲げることにより構成してある。ラック６０は、前面と上面とが開口した箱状を呈しており、ラック６０に収納された新聞は前面開口から一冊ずつ繰り出されるようになっている。
【００３２】
図２及び図４に示すように、ラック６０の底面には、ラック６０の底部を構成する底上部材６１が取り付けてある。底上部材６１は、針５４１を保護するためのもので、板状体（例えば、鋼板）の両縁をそれぞれ階段状に折り曲げることにより、上面がラック６０の底面から僅かに浮くように構成してある。また、底上部材６１の上面には、切り抜き６１ａが設けてある。切り抜き６１ａは、針５４１の移動域にわたり針５４１が挿通するようにしたもので、矩形に形成してある。
【００３３】
図２〜図５に示すように、搬出装置５０とラック６０との間には、操作レバー７が配設してある。操作レバー７は、待機位置に位置するアーム５２を持ち上げた状態で搬出装置５０の側面に係止され、駆動ユニット５１の移動により、搬出装置５０の側面から離脱するようになっている。
【００３４】
図９に示すように、操作レバー７は、一端７ａが搬出装置５０の側面奥方に回動可能に取り付けられた細長い部材であって、操作部７ｂとなる他端が搬出装置５０とラックとの間から突出している。そして、図４及び図５に示すように、ラック６０が格納された状態で操作部７ｂを持ち上げることにより、操作レバー７を上方に回動させると、待機位置に位置するアーム５２が持ち上げられるようになっている。そして、操作部７ｂを左方に移動させることにより操作レバー７を左方に回動させると、アーム５２（ハンド５３）を持ち上げた状態で操作レバー７が搬出装置５０の側面に係止されるようになっている。
【００３５】
一方、図２及び図３に示すように、操作部７ｂを右方に移動させることにより操作レバーを右方に回動させると、操作レバー７が搬出装置５０の側面から離脱するようになっている。そして、操作部７ｂを降ろすと、操作レバー７が下方に回動することにより、待機位置に位置するアーム５２（ハンド５３）が降ろされるようになっている。
【００３６】
また、操作レバー７は、ラック６０を本体キャビネット１に格納した状態でラック６０の引き出しを不能とするロック手段を兼ねたものであって、下面に係止片（図示せず）を有している。したがって、ラック６０が格納された状態で操作部７ｂを持ち上げると、ラック６０と係止片の係止状態が解除され、ラック６０が引き出し可能となる。一方、ラック６０が格納された状態で操作部７ｂを降ろすと、ラック６０と係止片とが係止状態となり、ラック６０が引き出し不能となる。
【００３７】
図９に示すように、操作レバー７には、左方に突出するローラ（作用部）７１が設けてある。このローラ７１は、アーム５２（ハンド５３）を降ろすことなく外扉２を閉めてしまった場合に、アーム５２（ハンド５３）を降ろすためのもので、アーム５２を持ち上げた状態で操作レバー７が搬出装置５０の側面に係止されている場合に、待機位置から奥方に移動させる駆動ユニット５１の移動域にローラ７１が突出するようになっている。そして、新聞を繰り出すために駆動ユニット５１を待機位置から奥方に移動させると、駆動ユニット５１がローラ７１に作用することにより、操作レバー７が搬出装置５０の側面から離脱し、アーム５２（ハンド５３）が降ろされることになる。
【００３８】
上述した実施の形態１である新聞自動販売機の新聞収納ラックを搭載した新聞自動販売機において、新聞を入れ替えたり、補充したりする場合には、まず、外扉２を開放することになる。そして、操作部７ｂを持ち上げると、ラック６０と係止片の係止状態が解消され、ラック６０を引き出し可能になるとともに、図４及び図５に示すように、アーム５２が持ち上げられた状態になる。このとき、ハンド５３に装着された針５４１は、カバー５５によって覆われることになる。
【００３９】
この状態でラック６０を本体キャビネット１から引き出しても、ラック６０がアーム５２やハンド５３が干渉することない。そして、本体キャビネット１からラック６０を引き出した状態で、新聞を入れ替えたり、補充したりすることになる。
【００４０】
新聞の入れ替えや補充が終了した後、ラック６０を本体キャビネット１に格納し、さらに、図２及び図３に示すように、操作部７ｂを降ろすと、ラック６０と係止片とが係止状態となり、ラック６０が引き出し不能になるとともに、アーム５２が降ろされ、ハンド５３が新聞の紙面に接することになる。このとき、ハンド５３に装着された針５４１は露出することになる。そして、外扉２を閉塞することになる。
【００４１】
一方、アーム５２（ハンド５３）を降ろすことなく、外扉２を閉塞した場合には、新聞を繰り出すために駆動ユニット５１を待機位置から奥方に移動させると、駆動ユニット５１がローラ７１に作用することになり、操作レバー７が搬出装置５０の側面から離脱し、図２及び図３に示すように、アーム５２（ハンド５３）が降ろされる。
【００４２】
上述した実施の形態１である新聞自動販売機の新聞収納ラック５によれば、ラック６０が格納された状態で操作部７ｂを持ち上げれば、ラック６０が引き出し可能になり、アーム５２が持ち上げられることになる。一方、ラック６０が格納された状態で操作部７ｂを降ろせば、ラック６０が引き出し不能になるとともに、アーム５２（ハンド５３）が降ろされることになる。したがって、ラック６０の引出操作とアームの持上操作が一連の操作となり、アーム５２を持ち上げることなくラック６０を引き出してしまうことがない。
【００４３】
また、アーム５２（ハンド５３）を降ろすことなく、外扉２を閉塞してしまった場合でも、新聞を繰り出すために駆動ユニット５１を待機位置から奥方に移動させると、駆動ユニット５１がローラ７１に作用することになり、操作レバー７が搬出装置５０の側面から離脱し、アーム５２（ハンド５３）が降ろされるので、新聞を繰り出すことができるようになる。
【００４４】
なお、上述した操作レバーは、アーム５２を持ち上げた場合に、待機位置から奥方に移動させる駆動ユニット５１の移動域に突出するようにローラ７１を配設したが、待機位置から奥方に移動させる駆動ユニット５１の移動域に突出するものであればよく、図１０に示すように、一部を山形に突出させた作用部７２であってもよい。
【００４５】
（実施の形態２）
図１１〜図１４は、本発明の実施の形態２である新聞自動販売機の新聞収納ラックを示す図であって、図１１及び図１２は、ハンドを降ろした状態を示し、図１３及び図１４は、アームを持ち上げた状態を示している。
【００４６】
実施の形態２である新聞自動販売機の新聞収納ラックは、操作レバー８を除いて実施の形態１である新聞自動販売機の新聞収納ラックと異なるところはないので、同一の箇所には同一の符号を付して説明を省略する。
【００４７】
実施の形態２の操作レバー８は、待機位置に位置するアーム５２を持ち上げた状態でアームに係止され、駆動ユニット５１の移動により、アーム５２から離脱するようにしたものである。
【００４８】
図１１〜図１４に示すように、操作レバー８は、折り曲げられた棒状部材であって、搬出装置５０の側面手前に回動可能に取り付けてある。操作レバー８の操作部８ａとなる一端は、側方（ラック外方）に向かって延在しており、作用端部８ｂとなる他端は、側方（ラック内方）に向かって延在した後、奥方に向けて延在している。
【００４９】
そして、図１３及び図１４に示すように、操作部８ａを反時計回り回転操作すると、作用端部８ｂが待機位置に位置するアーム５２を持ち上げ、作用端部８ｂがアーム５２の下面に設けられた突起５２ａに係止されるようになっている。
【００５０】
一方、アーム５２を一旦持ち上げると、操作レバー８が時計回りに回転することにより、操作レバー８の作用端部８ｂとアーム５２の下面に設けられた突起５２ａとの係止状態が解消され、図１１及び図１２に示すように、待機位置に位置するアーム５２（ハンド５３）が降ろされるようになっている。そして、作用端部８ｂは、降ろされたアーム５２を回避するようになっている。
【００５１】
また、駆動ユニット５１を待機位置から奥方に移動させることにより、アーム５２が待機位置から奥方に移動すると、操作レバー８の作用端部８ｂがアーム５２の下面に設けられた突起５２ａから離脱するようになっている。
【００５２】
上述した実施の形態２である新聞自動販売機の新聞収納ラックを搭載した新聞自動販売機において、新聞を入れ替えたり、補充したりする場合には、まず、外扉２を開放することになる。そして、操作レバー８の操作部８ａを反時計回りに回転操作すると、図１３及び図１４に示すように、アーム５２が持ち上げられた状態になり、操作レバー８の作用端部８ｂがアーム５２の下面に設けられた突起に係止される。
【００５３】
この状態でラック６０を本体キャビネット１から引き出しても、ラック６０がアーム５２やハンド５３が干渉することない。そして、本体キャビネット１からラック６０を引き出した状態で、新聞を入れ替えたり、補充したりすることになる。
【００５４】
新聞の入れ替えや補充が終了した後、ラック６０を本体キャビネット１に格納し、さらに、図１１及び図１２に示すように、アーム５２を一旦持ち上げると、操作レバー８が時計回りに回転することにより、操作レバー８の作用端部８ｂがアーム５２の下面に設けられた突起５２ａから離脱し、待機位置に位置するアーム５２（ハンド５３）が降ろされる。そして、ハンド５３が新聞の紙面に接することになる。このとき、ハンド５３に装着された針５４１は露出することになる。そして、外扉２を閉塞することになる。
【００５５】
一方、アーム５２（ハンド５３）を降ろすことなく、外扉２を閉塞した場合には、新聞を繰り出すために駆動ユニット５１を待機位置から奥方に移動させることにより、アーム５２が待機位置から奥方に移動すると、操作レバー８の作用端部８ｂがアーム５２の下面に設けられた突起５２ａから離脱し、図１１及び図１２に示すように、アーム５２（ハンド５３）が降ろされる。
【００５６】
上述した実施の形態２である新聞自動販売機の新聞収納ラック５によれば、ハンド５３を降ろすことなく、外扉２を閉塞してしまった場合でも、新聞を繰り出すために駆動ユニット５１を待機位置から奥方に移動させることにより、アーム５２が待機位置から奥方に移動すると、操作レバー８の作用端部８ｂがアーム５２の下面に設けられた突起５２ａから離脱することにより、アーム５２（ハンド５３）が降ろされるので、新聞を繰り出すことができるようになる。
【００５７】
（実施の形態３）
図１５〜図１８は、本発明の実施の形態３である新聞自動販売機の新聞収納ラックを示す図であって、図１５及び図１６は、ハンドを降ろした状態を示し、図１４及び図１５は、アームを持ち上げた状態を示している。
【００５８】
実施の形態３である新聞自動販売機の新聞収納ラックは、操作レバー９を除いて実施の形態１である新聞自動販売機の新聞収納ラックと異なるところはないので、同一の箇所には同一の符号を付して説明を省略する。
【００５９】
実施の形態３の操作レバー９は、待機位置に位置するアーム５２を持ち上げた状態にする一方、駆動ユニット５１の移動により、待機位置に位置するアーム５２を降ろすものである。
【００６０】
図１５〜１８に示すように、操作レバー９は、板状体を直角に折り曲げたものであって、搬出装置５０の側面手前に往復動可能に取り付けてある。操作レバー９の操作部９１となる部分は、側方（ラック外方）に向かって延在しており、作用部９２を構成する部分は、奥方（ラック奥方）に向かって延在している。
【００６１】
また、図１５及び図１７に示すように、操作レバー９の作用部９２には、奥方に向けて高くなる傾斜穴９２ａが設けてあり、この傾斜穴９２ａには、搬出装置５０の側面に固定されたピン９３が挿通している。
【００６２】
そして、図１７及び図１８に示すように、操作部９１を押込操作すると、作用部９２の上縁がアーム５２に作用して、アーム５２を持ち上げ、係止するようになっている。
【００６３】
一方、図１５及び図１６に示すように、操作部９１を引張操作すると、作用部９２の上縁がアーム５２から離反して、アーム５２を降ろすようになっている。
【００６４】
また、駆動ユニット５１を待機位置から奥方に移動させることにより、アーム５２が待機位置から奥方に移動すると、操作レバー９の作用部上縁からアーム５２が離脱して、アーム５２が降ろされることになる。その後、駆動ユニット５１を奥方から待機位置に移動させると、アーム５２が操作レバー９の作用部後縁に作用して、操作レバー９を手前に押し出すようになっている。
【００６５】
上述した実施の形態３である新聞自動販売機の新聞収納ラックを搭載した新聞自動販売機において、新聞を入れ替えたり、補充したりする場合には、まず、外扉２を開放することになる。そして、操作レバー９の操作部９１を押込操作すると、図１７及び図１８に示すように、作用部９２がアーム５２に作用することより、アーム５２が持ち上げられた状態になり、その状態を維持することになる。
【００６６】
この状態でラック６０を本体キャビネット１から引き出しても、ラック６０がアーム５２やハンド５３が干渉することない。そして、本体キャビネット１からラック６０を引き出した状態で、新聞を入れ替えたり、補充したりすることになる。
【００６７】
新聞の入れ替えや補充が終了した後、ラック６０を本体キャビネット１に格納し、さらに、操作レバー９の操作部９１を引張操作すると、図１５及び図１６に示すように、作用部９２がアーム５２から離反することにより、アーム５２が降ろされる。そして、ハンド５３が新聞の紙面に接することになる。このとき、ハンド５３に装着された針５４１は露出することになる。そして、外扉２を閉塞することになる。
【００６８】
一方、アーム５２（ハンド５３）を降ろすことなく、外扉２を閉塞した場合には、新聞を繰り出すために駆動ユニット５１を待機位置から奥方に移動させることにより、アームが待機位置から奥方に移動すると、アーム５２が操作レバー９の作用部上縁から離脱することにより、アーム５２（ハンド）が降ろされる。そして、駆動ユニット５１を奥方から待機位置に移動させると、アーム５２が操作レバー９の作用部後縁に作用して、操作レバー９を手前に押し出すことになる。
【００６９】
上述した実施の形態３である新聞自動販売機の新聞収納ラックによれば、操作部９１を引張操作することによりハンド５３を降ろすことなく、外扉２を閉塞してしまった場合でも、新聞を繰り出すために駆動ユニット５１を待機位置から奥方に移動させることにより、アーム５２が待機位置から奥方に移動すると、アーム５２が操作レバー９の作用部上縁から離脱することにより、アーム５２（ハンド５３）が降ろされるので、新聞を繰り出すことができるようになる。
【図面の簡単な説明】
【００７０】
【図１】本発明の実施の形態である新聞自動販売機の新聞収納ラックを適用した新聞自動販売機を示す正面図である。
【図２】本発明の実施の形態１である新聞自動販売機の新聞収納ラックを示す斜視図であって、ハンドを降ろした状態を示したものである。
【図３】本発明の実施の形態１である新聞自動販売機の新聞収納ラックを示す正面図であって、ハンドを降ろした状態を示したものである。
【図４】本発明の実施の形態１である新聞自動販売機の新聞収納ラックを示す斜視図であって、ハンドを持ち上げた状態を示したものである。
【図５】本発明の実施の形態１である新聞自動販売機の新聞収納ラックを示す正面図であって、ハンドを持ち上げた状態を示したものである。
【図６】新聞を搬出するハンドを示す斜視図である。
【図７】図６に示したハンドの右側面図であって、針を隠した状態を示したものである。
【図８】図６に示したハンドの右側面図であって、針を出した状態を示したものである。
【図９】操作レバーを示す斜視図である。
【図１０】図９に示した操作レバーの変形例を示す斜視図である。
【図１１】本発明の実施の形態２である新聞自動販売機の新聞収納ラックを示す斜視図であって、ハンドを降ろした状態を示したものである。
【図１２】本発明の実施の形態２である新聞自動販売機の新聞収納ラックを示す正面図であって、ハンドを降ろした状態を示したものである。
【図１３】本発明の実施の形態２である新聞自動販売機の新聞収納ラックを示す斜視図であって、ハンドを持ち上げた状態を示したものである。
【図１４】本発明の実施の形態２である新聞自動販売機の新聞収納ラックを示す斜視図であって、ハンドを持ち上げた状態を示したものである。
【図１５】本発明の実施の形態３である新聞自動販売機の新聞収納ラックを示す斜視図であって、ハンドを降ろした状態を示したものである。
【図１６】本発明の実施の形態３である新聞自動販売機の新聞収納ラックを示す正面図であって、ハンドを降ろした状態を示したものである。
【図１７】本発明の実施の形態３である新聞自動販売機の新聞収納ラックを示す斜視図であって、ハンドを持ち上げた状態を示したものである。
【図１８】本発明の実施の形態３である新聞自動販売機の新聞収納ラックを示す正面図であって、ハンドを持ち上げた状態を示したものである。
【符号の説明】
【００７１】
１    本体キャビネット
２    外扉
５    新聞収納ラック
５０    搬出装置
５１    駆動ユニット
５２    アーム
５２ａ    突起
５３    ハンド
５４    針ユニット
５４１    針
５５    カバー
６０    ラック
６１    底上部材
７    操作レバー
７ｂ    操作部
７１    ローラ（作用部）
７２    作用部
８    操作レバー
８ａ    操作部
８ｂ    作用端部
９    操作レバー
９１    操作部
９２    作用部
９２ａ    傾斜穴
９３    ピン
【図１】
2010061396.tif 000003
【図２】
2010061396.tif 000004
【図３】
2010061396.tif 000005
【図４】
2010061396.tif 000006
【図５】
2010061396.tif 000007
【図６】
2010061396.tif 000008
【図７】
2010061396.tif 000009
【図８】
2010061396.tif 000010
【図９】
2010061396.tif 000011
【図１０】
2010061396.tif 000012
【図１１】
2010061396.tif 000013
【図１２】
2010061396.tif 000014
【図１３】
2010061396.tif 000015
【図１４】
2010061396.tif 000016
【図１５】
2010061396.tif 000017
【図１６】
2010061396.tif 000018
【図１７】
2010061396.tif 000019
【図１８】
2010061396.tif 000020